(57)【特許請求の範囲】
【請求項１】
クーポンを用いた可変コンテンツ提供装置であって、上記可変コンテンツ提供装置は、
即席クーポン番号が印刷されたクーポンの即席クーポン番号を取得する即席クーポン番号取得手段、
数字の優劣による複数のサブコンテンツを格納するコンテンツＤＢ、
制御部、および
コンテンツをディスプレイするディスプレイ部、を含み、
上記制御部は、
当選番号を取得する当選番号取得手段、
上記即席クーポン番号取得手段により入力される上記即席クーポン番号からクーポン番号を取得するクーポン番号取得手段、および
上記当選番号に基づいて上記クーポン番号の各数字間の優劣を判断して、上記数字の優劣に対応するサブコンテンツを上記コンテンツＤＢからロードし、結合して上記コンテンツを構成した後出力するコンテンツ構成手段を含み、
上記コンテンツ構成手段は、
上記クーポン番号取得手段により検出された上記クーポン番号が入力され、上記クーポン番号のうち１つを主体番号として検出する主体検出部、
上記当選番号取得手段により取得された上記当選番号が入力され、上記当選番号に基づいて、上記主体番号と、上記クーポン番号のうち上記主体番号を除いた複数の助演番号の各々との優劣判断を行い、上記主体番号と上記助演番号の各々との間の優劣情報を出力し、上記主体番号が上記全ての助演番号に対して優勢である場合、全部優勢信号を出力する優劣処理部、
上記優劣処理部から全部優勢信号が入力される時には、上記当選番号取得手段から上記当選番号が入力され、上記クーポン番号取得手段から上記クーポン番号が入力されて上記当選番号を構成する数字と上記クーポン番号を構成する数字とが同一であるかどうかを検査し、桁が同一であるかどうかを判断する全部一致判断を行い、全部一致である場合は全部一致信号を出力し、桁は一致せず、番号のみが同一である場合は数字一致信号を出力する全部一致判断部、および
上記優劣処理部から入力される上記主体番号と複数の上記助演番号の各々との間の上記優劣情報と上記全部優勢信号、及び上記全部一致判断部から入力される上記全部一致信号と上記数字一致信号に対応するサブコンテンツを結合してコンテンツを構成するコンテンツ構成部、を含むことを特徴とするクーポンを用いた可変コンテンツ提供装置。
【請求項２】
順位に応じた景品を上記クーポン利用者に提供する景品提供部をさらに含み、
上記制御部は、  
上記数字の優劣による順位を決定し、上記景品提供部によって上記順位に対応する景品を提供することを特徴とする請求項１に記載のクーポンを用いた可変コンテンツ提供装置。
【請求項３】
上記景品提供部は、  
上記順位に対応する任意の商品に対する割引券、前売り券、及び試食券のいずれかをプリントして印刷する印刷装置であることを特徴とする請求項２に記載のクーポンを用いた可変コンテンツ提供装置。  
【請求項４】
上記景品提供部は、  
上記順位に対応してあらかじめ備えられた任意の商品を排出する商品排出装置であることを特徴とする請求項２に記載のクーポンを用いた可変コンテンツ提供装置。
【請求項５】
上記商品は、割引券、前売り券、試食券及び品物の１つであることを特徴とする、請求項４に記載のクーポンを用いた可変コンテンツ提供装置。  
【請求項６】
上記即席クーポン番号取得手段は、
クーポンをスキャンしてクーポンに印刷された上記即席クーポン番号を出力するクーポンスキャン部であることを特徴とする請求項１に記載のクーポンを用いた可変コンテンツ提供装置。
【請求項７】
上記即席クーポン番号取得手段は、  
即席クーポン番号を入力できる複数の数字キーを含む文字キーを備え、上記ディスプレイ部と連動して即席クーポン番号に対応する数字キーを押すことによって即席クーポン番号が入力されるキー入力部であることを特徴とする請求項１に記載のクーポンを用いた可変コンテンツ提供装置。
【請求項８】
上記優劣処理部は、  
主体番号が当選番号のうち一致する番号があるかを判断し、主体番号が当選番号のうち１つの番号と一致すると、助演番号に対して全て優勢であると判断することを特徴とする請求項１に記載のクーポンを用いた可変コンテンツ提供装置。
【請求項９】
上記優劣処理部は、
当選番号に主体番号と一致する番号がない場合、助演番号のうち、当選番号のうちのいずれかの番号と一致する助演番号に対しては主体番号が優勢であり、当選番号に一致する番号がない助演番号に対しては主体番号が劣勢であると判断することを特徴とする請求項１に記載のクーポンを用いた可変コンテンツ提供装置。
【請求項１０】
即席クーポン番号取得手段がクーポンから即席クーポン番号を取得する即席クーポン番号取得過程と、
制御部のクーポン番号取得手段が上記即席クーポン番号からクーポン番号を取得するクーポン番号取得過程と、
上記制御部の当選番号取得手段が当選番号を取得する当選番号取得過程と、
上記制御部のコンテンツ構成手段が上記当選番号に基づいて上記クーポン番号の各数字間の優劣を判断し、優劣及び桁の一致程度に対応するサブコンテンツを結合してコンテンツを構成するコンテンツ構成過程と、
上記制御部が、構成された上記コンテンツをディスプレイするコンテンツディスプレイ過程と、を含み、
上記コンテンツ構成過程は、
主体検出部が、上記クーポン番号取得手段が検出した上記クーポン番号を入力し、上記クーポン番号のうち１つを主体番号として検出する主体検出ステップと、
優劣処理部が、上記当選番号取得手段が取得した上記当選番号を入力し、上記当選番号に基づいて上記主体番号と、上記クーポン番号のうち上記主体番号を除いた複数の助演番号の各々との優劣判断を行い、上記主体番号と上記助演番号の各々との間の優劣情報を出力し、上記主体番号が全ての上記助演番号に対して優勢である場合、全部優勢信号を出力する優劣処理ステップと、
全部一致判断部が、上記全部優勢信号の入力時に上記当選番号取得手段から上記当選番号を入力し、上記クーポン番号取得手段から上記クーポン番号を入力して上記当選番号を構成する数字と上記クーポン番号を構成する数字とが同一であるかどうかを検査し、桁が同一であるかどうかを判断する全部一致の判断を行い、全部一致である場合は全部一致信号を出力し、桁は一致せず、番号のみが同一である場合は数字一致信号を出力する全部一致判断ステップと、
コンテンツ構成部が、上記優劣処理部から入力される上記主体番号と複数の上記助演番号の各々との間の上記優劣情報と上記全部優勢信号、及び上記全部一致判断部から入力される上記全部一致信号と上記数字一致信号に対応するサブコンテンツを結合してコンテンツを構成するコンテンツ構成ステップと、を含むことを特徴とするクーポンを用いた可変コンテンツ提供方法。
【請求項１１】
上記即席クーポン番号取得過程は、  
クーポンスキャン部によりクーポンが挿入されたかどうかを判断するクーポン挿入判断ステップと、
クーポンが挿入されたと判断されると、挿入されたクーポンをスキャンして即席クーポン番号を検出する即席クーポン番号検出ステップと、を含むことを特徴とする請求項１０に記載のクーポンを用いた可変コンテンツ提供方法。
【請求項１２】
優劣及び桁の一致程度に対応する順位を判断し、判断された上記順位に対応する景品をクーポンを利用したクーポン利用者に提供する景品提供過程をさらに含むことを特徴とする請求項１０に記載のクーポンを用いた可変コンテンツ提供方法。
【請求項１３】
上記優劣処理ステップにおいて、上記優劣処理部は、  
主体番号が当選番号のうち一致する番号があるかを判断し、主体番号が当選番号のうち１つの番号と一致すると、助演番号に対して全部優勢であると判断することを特徴とする請求項１０に記載のクーポンを用いた可変コンテンツ提供方法。
【請求項１４】
上記優劣処理ステップにおいて、上記優劣処理部は、
当選番号に主体番号と一致する番号がない場合、助演番号のうち、当選番号のうちのいずれかの番号と一致する助演番号に対しては主体番号が優勢であり、当選番号に一致する番号がない助演番号に対しては主体番号が劣勢であると判断することを特徴とする請求項１０に記載のクーポンを用いた可変コンテンツ提供方法。
【発明の詳細な説明】
【技術分野】
【０００１】
本発明は、コンテンツ提供装置に関し、より詳しくは、クーポンに記録されたクーポン番号によって同一のコンテンツに対して異なるストーリー又は結果を有するコンテンツを提供すると共に、クーポンの当選に応じた景品を提供するクーポンを用いた可変コンテンツ提供装置及びその方法に関する。
【背景技術】
【０００２】
近年、オンライン文化が急速に発展するにつれ、オンライン及びオフラインで漫画、フラッシュアニメ、スポーツ動画、ドラマ動画、広告動画、及び映画動画などの多様なコンテンツが提供されている。一般的に、コンテンツ利用者は、一定のコストを支払ってオンラインで任意のコンテンツをストリーミングして視聴したり、オンラインでコンテンツをダウンロードして携帯端末を通じてオフラインで視聴する。
【０００３】
一般的に、１つのコンテンツは１つのストーリーや１つの結果を有するものであって、コンテンツ利用者は、通常、一度見ればそのストーリーやその結果を知っているので二回以上は見なくなる。つまり、一度見ると見飽きてそれ以上は見なくなり、コンテンツ利用者は、新しいストーリーや新しい結果を有する他のコンテンツを購入して視聴する。
【０００４】
マーケティングの一種として、商品の広告のためにその商品に対する広告を含んでその商品の割引又は景品を提供するクーポンマーケティングが多く適用されている。ここで景品とは、一定期間中にある商品を購入した顧客に他の商品又は同一の商品を無料又は値引きして提供することをいう。このようなクーポンマーケティングは、景品を支給するサイトの情報を含んで上記Ｗｅｂサイトへのアクセスを誘導し、アクセスしたクーポン利用者に広告などを見せると同時に、クーポン利用者によりクーポンに記録されたクーポン番号が入力されて登録した後景品を提供する無条件支給方式と、入力されたクーポン番号が当選されたクーポン番号である場合にのみ景品を提供する当選方式などが主に利用されている。
【０００５】
上述したように、従来のクーポンは、景品提供用及び広告用にのみその用途が制限されるという問題点があった。
【０００６】
又、従来のコンテンツは、１つのストーリー又は結果のみを有しているため、コンテンツ利用者の１回の視聴に満足しなければならないという問題点があった。特に、コンテンツが広告である場合は、１つのストーリーのみを有しているため、コンテンツ利用者が２回目からは見飽きて見なくなることにより、広告の効率が低下するという問題点があり、ほとんど有料で提供されるため、利用者にコストの面で負担となるという問題点があった。
【０００７】
したがって、クーポンの活用率を高めながらもクーポンを利用して簡単に飽きないコンテンツを提供することができる方法が求められている。
【発明の概要】
【発明が解決しようとする課題】
【０００８】
本発明の目的は、クーポンに記録されたクーポン番号によって互いに異なるコンテンツを提供するクーポンを用いた可変コンテンツ提供装置及びその方法を提供することにある。
【０００９】
本発明の他の目的は、コンテンツを提供すると共に、当選に応じた景品を提供することができるクーポンを用いた可変コンテンツ提供装置及びその方法を提供することにある。
【課題を解決するための手段】
【００１０】
上述した目的を達成するための本発明のクーポンを用いた可変コンテンツ提供装置は、即席クーポン番号が印刷されたクーポンの即席クーポン番号を取得する即席クーポン番号取得手段と、数字の優劣による多数のサブコンテンツを格納するコンテンツＤＢと、当選番号を取得する当選番号取得手段と上記即席クーポン番号取得手段を介して入力される即席クーポン番号からクーポン番号を取得するクーポン番号取得手段と上記当選番号に基づいて上記クーポン番号の各数字間の優劣を判断して、上記数字の優劣に対応するサブコンテンツを上記コンテンツＤＢからロードした後結合してコンテンツを構成した後出力するコンテンツ構成手段とを含む制御部と、上記コンテンツをディスプレイするディスプレイ部と、を含み、上記コンテンツ構成手段は、上記クーポン番号取得手段により検出されたクーポン番号が入力され、上記クーポン番号のうち１つを主体番号として検出する主体検出部と、上記当選番号取得手段により取得された当選番号が入力され、上記当選番号に基づいて上記主体番号とクーポン番号のうち上記主体番号を除いた助演番号間の優劣判断を行い、上記主体番号と助演番号間の優劣情報を出力し、上記主体番号が上記全ての助演番号に対して優勢である場合、全部優勢信号を出力する優劣処理部と、上記優劣処理部から全部優勢信号が入力される時に上記当選番号取得手段から当選番号が入力され、上記クーポン番号取得手段からクーポン番号が入力されて当選番号を構成する数字とクーポン番号を構成する数字とが同一であるかどうかを検査し、その桁が同一であるかどうかを判断する全部一致判断を行い、全部一致である場合は全部一致信号を出力し、桁は一致せず、番号のみが同一である場合は数字一致信号を出力する全部一致判断部と、上記優劣処理部から入力される優劣情報及び全部優勢信号と上記全部一致判断部から入力される全部一致信号及び数字一致信号に対応するサブコンテンツを結合してコンテンツを構成するコンテンツ構成部と、を含むことを特徴とする。
【００１１】
上記装置は、順位に応じた景品を上記クーポン利用者に提供する景品提供部をさらに含み、上記制御部は、上記数字の優劣による順位を決定し、上記景品提供部によって上記順位に対応する景品を提供することを特徴とする。
【００１２】
上記景品提供部は、上記順位に対応する任意の商品に対する割引券、前売り券、及び試食券のいずれかをプリントして印刷する印刷装置であることを特徴とする。
【００１３】
上記景品提供部は、上記順位に対応してあらかじめ備えられた任意の商品を排出する商品排出装置であることを特徴とする。
【００１４】
上記商品は、割引券、前売り券、試食券及び品物の１つであることを特徴とする。
【００１５】
上記即席クーポン番号取得手段は、クーポンをスキャンしてクーポンに印刷された即席のクーポン番号をスキャンして出力するクーポンスキャン部であることを特徴とする。
【００１６】
上記即席クーポン番号取得手段は、即席クーポン番号を入力できる多数の数字キーを含む文字キーを備え、上記ディスプレイ部と連動して即席クーポン番号に対応する数字キーを押すことによって即席クーポン番号が入力されるキー入力部であることを特徴とする。
【００１７】
上記優劣処理部は、主体番号が当選番号のうち一致する番号があるかを判断し、主体番号が当選番号のうち１つの番号と一致すると、助演番号に対して全て優勢であると判断することを特徴とする。
【００１８】
上記優劣処理部は、主体番号が当選番号のうち一致する番号がなく、助演番号のうち当選番号と一致する番号に対しては主体番号が優勢であり、当選番号ではない、助演番号は劣勢であると判断することを特徴とする。
【００１９】
上述した目的を達成するための本発明のクーポンを用いた可変コンテンツ提供方法は、制御部の即席クーポン番号取得手段がクーポンから即席クーポン番号を取得する即席クーポン番号取得過程と、上記制御部のクーポン番号取得手段が上記即席クーポン番号からクーポン番号を取得するクーポン番号取得過程と、上記制御部の当選番号取得手段が当選番号を取得する当選番号取得過程と、上記制御部のコンテンツ構成手段が上記当選番号に基づいて上記クーポン番号の各数字間の優劣を判断し、優劣及び桁の一致程度に対応するサブコンテンツを結合してコンテンツを構成するコンテンツ構成過程と、上記制御部が上記の構成されたコンテンツをディスプレイするコンテンツディスプレイ過程と、を含み、上記コンテンツ構成過程は、主体検出部が、上記クーポン番号取得手段により検出されたクーポン番号が入力され、上記クーポン番号のうち１つを主体番号として検出する主体検出ステップと、優劣処理部が、上記当選番号取得手段により取得された当選番号が入力され、上記当選番号に基づいて上記主体番号とクーポン番号のうち上記主体番号を除いた助演番号間の優劣判断を行い、上記主体番号と助演番号間の優劣情報を出力し、上記主体番号が上記全ての助演番号に対して優勢である場合、全部優勢信号を出力する優劣処理ステップと、全部一致判断部が、上記全部優勢信号の入力時に上記当選番号取得手段から当選番号が入力され、上記クーポン番号取得手段からクーポン番号が入力されて当選番号を構成する数字とクーポン番号を構成する数字とが同一であるかどうかを検査し、その桁が同一であるかどうかを判断する全部一致の判断を行い、全部一致である場合は全部一致信号を出力し、桁は一致せず、番号のみが同一である場合は数字一致信号を出力する全部一致判断ステップと、コンテンツ構成部が、上記優劣処理部から入力される優劣情報及び全部優勢信号と上記全部一致判断部から入力される全部一致信号及び数字一致信号に対応するサブコンテンツを結合してコンテンツを構成するコンテンツ構成ステップと、を含むことを特徴とする。
【００２０】
上記即席クーポン番号取得過程は、クーポンスキャン部によりクーポンが挿入されたかどうかを判断するクーポン挿入判断ステップと、クーポンが挿入されたと判断されると、挿入されたクーポンをスキャンして即席クーポン番号を検出する即席クーポン番号検出ステップと、を含むことを特徴とする。
【００２１】
上記の方法は、上記優劣情報及び桁の一致程度に対応する順位を判断し、判断された順位に対応する景品を上記クーポンを利用したクーポン利用者に提供する景品提供過程をさらに含むことを特徴とする。
【００２２】
上記優劣処理ステップにおいて、上記優劣処理部は、主体番号が当選番号のうち一致する番号があるかを判断し、主体番号が当選番号のうち１つの番号と一致すると、助演番号に対して全て優勢であると判断することを特徴とする。
【００２３】
上記優劣処理ステップにおいて、上記優劣処理部は、主体番号が当選番号のうち一致する番号がなく、助演番号のうち当選番号と一致する番号に対しては主体番号が優勢であり、当選番号ではない、助演番号は劣勢であると判断することを特徴とする。
【発明の効果】
【００２４】
本発明は、クーポンを用いてコンテンツを提供することにより、クーポンの活用範囲を拡大することができるという効果がある。
【００２５】
なお、本発明は、同一のコンテンツについてクーポンの新しい当選決定方法に応じて可変的なストーリー又は結果を有するコンテンツを提供することにより、コンテンツを利用するコンテンツ利用者に複数回にかけて同一のコンテンツを提供しても継続的な楽しさを与えることができるという効果がある。
【００２６】
なお、本発明は、コンテンツ利用者がコンテンツを利用するためにコストを支払う必要がないので、利用者にコストの負担を与えなく、クーポンの活用性及びコンテンツの利用を活性化させることができるという効果がある。
【図面の簡単な説明】
【００２７】
【図１】本発明の第１の実施例に係るクーポンを用いた可変コンテンツ提供装置の構成を示す図である。
【図２】本発明の第２の実施例に係るクーポンを用いた可変コンテンツ提供装置の構成を示す図である。
【図３】本発明に係るクーポンを用いた可変コンテンツの提供方法を示すフローチャートである。
【発明を実施するための形態】
【００２８】
以下、添付の図面を参照して本発明の実施例について詳細に説明するが、本発明は、これらにより限定されるものではない。
【００２９】
図１は、本発明の第１の実施例に係るクーポンを用いた可変コンテンツ提供装置の構成を示す図であり、図２は、本発明の第２の実施例に係るクーポンを用いた可変コンテンツ提供装置の構成を示す図である。以下、図１及び図２を参照して説明する。
【００３０】
先ず、本発明に係るクーポンを用いた可変コンテンツ提供装置の構成を説明する前に、本発明に適用されるクーポンは、本発明の実施例に基づいてクーポン番号と当選番号又はクーポン番号と当選番号が暗号化されている当選確認番号を含む即席クーポン番号が数字、バーコード又はＱＲコードなどで印刷されていても良く、クーポン番号のみが即席クーポン番号で印刷されていても良い。
【００３１】
本発明に係るクーポンを用いた可変コンテンツ提供装置は、制御部１０、コンテンツＤＢ２０、ディスプレイ部３０、入力部４０、クーポンスキャン部５０、及び景品提供部６０を含む。
【００３２】
制御部１０は、本発明に係るクーポンを用いた可変コンテンツ提供装置の全般的な動作を制御する。
【００３３】
コンテンツＤＢ２０は、複数のストーリー又は結果を有するサブコンテンツを含む少なくとも１つ以上のコンテンツを格納する。上記コンテンツは、様々な分野、例えば、漫画、フラッシュアニメ、スポーツ、ドラマなどの動画などである。具体的な例としては、上記コンテンツは、大韓民国とその他の国（イギリス、フランス、日本、スペイン等）間のサッカー動画であり、上記コンテンツのサブコンテンツは、大韓民国と英国間の試合、大韓民国とフランス間の試合、大韓民国と日本間の試合、大韓民国とスペイン間の試合、英国とフランス間の試合、英国と日本間の試合、イギリスとスペイン間の試合、フランスと日本間の試合、フランスとスペイン間の試合、日本とスペイン間の試合動画である。又、上記それぞれの試合は、試合の勝敗動画、例えば、大韓民国と英国間の試合で大韓民国が勝つ動画及び英国が勝つ動画を含むことができる。他の例として、上記コンテンツが、チョコレート広告動画である場合、サブコンテンツはオムニバス式のチョコレート広告動画である。このようなコンテンツは、あらかじめ本発明の可変コンテンツ提供装置のコンテンツＤＢ２０に格納されていても良く、遠隔地のコンテンツ提供サーバ（図示せず）からダウンロードしてコンテンツＤＢ２０に格納されていても良く、定期的又はランダムに更新されても良い。
【００３４】
ディスプレイ部３０は、制御部１０の制御を受けてコンテンツＤＢ２０に格納されている任意のコンテンツをディスプレイしたり、本発明の可変コンテンツ提供装置の動作による情報及びグラフィックインタフェース手段を表示する。上記ディスプレイ部３０は、例えば、タッチされた部分の座標データを上記制御部１０に出力するタッチパッドが一体化されたタッチスクリーンである。
【００３５】
入力部４０は、複数の数字キー及び文字を入力できるキー及び機能を設定するためのキー及びデータを選択するためのカーソルなどを前後左右に動くための方向キーなどを含み、押されたキーに対するキーデータを上記制御部１０に出力する。
上記ディスプレイ部３０がタッチスクリーンで構成される場合、上記ディスプレイ部３０及び入力部４０は、クーポンの即席クーポン番号を入力できる即席クーポン番号入力手段として用いることができる。
【００３６】
クーポンスキャン部５０は、即席クーポン番号入力手段であって、特定の位置又は挿入されたクーポンをスキャンしてクーポンから即席クーポン番号を検出して制御部１０に出力する。上記クーポンスキャン部５０は、例えば、クーポンに印刷された数字を文字に認識するスキャン装置であり、或いは、バーコード及び／又はＱＲコードをスキャンするＱＲコードスキャン装置である。
【００３７】
景品提供部６０は、クーポン番号の当選順位に対応する景品をクーポン利用者に提供する。上記景品は、例えば、割引券、入場券などの紙類景品であり、或いは、割引券及び入場券などをモバイルメッセージに提供するモバイル景品である。後者の場合、上記景品提供部６０は、ＣＤＭＡ又はＬＴＥ移動通信網を介してモバイルメッセージを送信できる移動通信部であることが望ましい。しかしながら、別途のメッセージサーバ（図示せず）を備えて上記メッセージサーバとインターネット網を介して接続されてメッセージを送信するように構成することもできる。又、別途の景品提供サーバ（図示せず）を備えて当選に応じたクーポン利用者の名前、住所などを含むクーポン利用者情報を景品提供サーバに送信してあらかじめ景品として設定された実際の商品を配送するように構成することもできる。上記クーポン利用者情報は、入力部４０及びディスプレイ部３０により入力することができる。又、上記景品は、本発明のコンテンツ提供装置に備えられる品物であり得る。この場合、景品提供部６０は、内部にあらかじめ備えられた順位に応じた（又はランダムに応じた）品物を排出する品物排出手段となる。
【００３８】
以下、本発明の第１の実施例及び第２の実施例に係る上記制御部１０の詳しい構成及び動作を説明する。
【００３９】
（第１の実施例）
制御部１０は、当選番号取得手段である当選番号検出部１１、クーポン番号取得手段であるクーポン番号検出部１２、及びコンテンツ構成手段１を含む。
【００４０】
選番号検出部１１は、上記クーポンスキャン部５０又は入力部４０又はディスプレイ部３０により入力された即席クーポン番号から当選番号を検出して出力する。
【００４１】
クーポン番号検出部１２は、上記クーポンスキャン部５０、入力部４０又はディスプレイ部３０により入力された即席クーポン番号からクーポン番号を検出して出力する。
【００４２】
コンテンツ構成手段１は、上記当選番号に基づいて上記クーポン番号の各数字間の優劣を判断し、上記当選番号とクーポン番号を構成する各数字の一致度と上記数字の優劣に対応するサブコンテンツを上記コンテンツＤＢからロードした後結合してコンテンツを構成した後出力する。
【００４３】
具体的に説明すると、上記コンテンツ構成手段１は、主体検出部１３、優劣処理部１４、全部一致判断部１５及びコンテンツ構成部１６を含む。
【００４４】
主体検出部１３は、上記クーポン番号検出部１２から出力されるクーポン番号から主体番号を検出して優劣処理部１４に出力する。
【００４５】
優劣処理部１４は、上記主体検出部１３から主体番号が入力され、当選番号検出部１１から当選番号が入力されてクーポン番号の主体番号と主体番号以外の番号（以下、「助演番号」とする。）間の優劣を判断した後、主体番号と各助演番号間の優劣情報をコンテンツ構成部１６に出力し、主体番号が全ての助演番号に優勢すると全部優勢信号を全部一致判断部１５及びコンテンツ構成部１６に出力する。
【００４６】
全部一致判断部１５は、優劣処理部１４から全部優勢信号が入力されると当選番号検出部１１から入力された当選番号と、クーポン番号検出部１２から入力されたクーポン番号とを比較しながら数字の順序まで一致するかどうかを判断した後、その判断結果によって全部一致信号又は数字一致信号をコンテンツ構成部１６に出力する。
【００４７】
コンテンツ構成部１６は、優劣処理部１４から入力される優劣情報及び全部一致判断部１５からの全部一致信号、数字一致信号及び全部優勢信号の入力の有無に応じてコンテンツＤＢ２０からサブコンテンツをロードしてコンテンツを構成し、構成されたコンテンツをディスプレイ部３０により表示する。
【００４８】
当選番号が「１４５６」であり、クーポン番号が「２７８９」である場合を例として説明すると、クーポン番号の主体番号は「２」であり、助演番号は「７」、「８」、「９」である。
【００４９】
主体番号検出部１３は、クーポン番号「２７８９」が入力されると、主体番号が「２」であることを感知し、主体番号「２」を検出して優劣処理部１４に出力する。本発明の実施例によって主体番号が当選番号にあるかどうかが優劣判断に影響を与えるように構成しても良く、主体番号が当選番号にあってもなくても関係なく、優劣を判断するように構成しても良い。
【００５０】
先ず、主体番号が優劣判断に影響を与える場合を説明すると、優劣処理部１４は、主体番号「２」が当選番号「１４５６」にあるかどうかを判断する。しかしながら、上記例の主体番号「２」は当選番号にない。そこで、一番目の助演番号である「７」が当選番号「１４５６」にある番号であるかを判断する。しかしながら、一番目の助演番号である「７」も当選番号にないので、主体番号「２」と助演番号「７」の両方は当選番号「１４５６」にないので、主体番号「２」は助演番号「７」に対して「劣」と判断する。二番目の助演番号「８」及び三番目の助演番号「９」も当選番号にないので、主体番号「２」は二番目及び三番目の助演番号に対しても「劣」と判断する。したがって優劣処理部１４は「劣劣劣」の優劣情報をコンテンツ構成部１６に提供する。
【００５１】
他の例として、当選番号は、上記一番目の例と同一であり、クーポン番号が「２４８９」である場合を例として説明すると、一番目の助演番号「４」が当選番号「１４５６」にあるので、主体番号「２」は、一番目の助演番号に対して優劣情報が「優勢（又は優）」であり、他の助演番号「８」及び「９」に対しては一番目の例のように優劣情報が「劣勢（又は劣）」となる。したがって、二番目の例において優劣処理部１４は、優劣情報として「優劣劣」の情報をコンテンツ構成部１６に出力する。
【００５２】
三番目の例として、当選番号は同一であり、クーポン番号が「４１５６」である場合を例として説明する。
【００５３】
この場合、主体番号「４」も当選番号に含まれている番号であり、一番目乃至三番目の助演番号「１」、「５」、「６」も当選番号に含まれている番号である。したがって、主体番号「４」は、全ての助演番号に対して優勢であるので、優劣情報は「優優優」となる。これにより、優劣処理部１４は、優劣情報として「優優優」をコンテンツ構成部１６に出力し、全部優勢信号を全部一致判断部１５に出力する。
【００５４】
そうすると、全部一致判断部１５は、当選番号「１４５６」とクーポン番号「４１５６」間の桁が一致するかどうかを判断する。しかしながら、桁は異なるので全部一致判断部１５は、全部優勢信号をコンテンツ構成部１６に出力する。これにより、コンテンツ構成部１６は「優優優」の優劣情報に対応するコンテンツを構成する。
【００５５】
もしも、四番目の例として、クーポン番号も当選番号と同一に「１４５６」であれば全部一致判断部１５は全部一致信号をコンテンツ構成部１６に出力し、コンテンツ構成部１６は、全部一致による優劣情報に対応するコンテンツを構成してディスプレイ部３０によりコンテンツを表示する。
【００５６】
五番目の例として、当選番号は同一であり、クーポン番号が「４２３７」である場合を例として説明する。
【００５７】
この場合、主体番号は「４」として当選番号に含まれている番号であり、一番目乃至三番目の助演番号「２」、「３」、「７」は、当選番号に含まれていない番号である。したがって、主体番号「４」は助演番号「２」、「３」、「７」に対して全て優勢であると判断する。
【００５８】
これと反対に、主体番号が優勢判断に影響を与えないように構成される場合、上記五番目の例において、主体番号「４」は、助演番号「２」、「３」、「７」に対して劣勢であると判断される。
【００５９】
そして、上記コンテンツがサッカー動画であり、一番が英国であり、二番が日本、三番がスペインであり、四番が大韓民国であり、五番が米国であり、六番がフランスであり、七番がポルトガルであり、八番がオーストラリアであり、九番がサウジアラビアであると仮定し、もう一度説明する。
【００６０】
上記一番目の例において、クーポン番号が「２７８９」であるので、コンテンツは、主体である日本（二番）が七番のポルトガルとのサッカー試合で負ける動画と、八番のオーストラリアとのサッカー試合で負ける動画、及び九番のサウジアラビアとのサッカー試合で負ける動画で構成される。
【００６１】
そして、三番目の例において、クーポン番号が「４１５６」であるので、コンテンツは、主体番号「４」に対応する大韓民国が一番目の助演番号である一番の英国とのサッカー試合で勝つ動画と、五番の米国とのサッカー試合で勝つ動画と、六番のフランスとのサッカー試合で勝つ動画で構成される。
【００６２】
（第２の実施例）
制御部１０は、クーポン番号検出部１２、当選番号ローディング部１７、主体検出部１３、優劣処理部１４は、全部一致判断部１５、及びコンテンツ構成部１６を含む。
【００６３】
第２の実施例において、当選番号は、事前に本発明の可変コンテンツ提供装置のコンテンツＤＢ２０に格納される。上記当選番号は、管理者が登録しておいても良く、インターネット網を介して接続された景品提供サーバ又は当選番号管理サーバ（図示せず）等により定期的に更新されても良い。
【００６４】
したがって、第２の実施例における制御部１０は、当選番号検出部１１の代わりに、コンテンツＤＢ２０から当選番号をロードするための当選番号ローディング部１７が構成される。
【００６５】
図３は、本発明の第１の実施例に係るクーポンを用いた可変コンテンツ提供方法を示すフローチャートである。
【００６６】
図３を参照すると、先ず、制御部１０は、クーポンスキャン部５０によりクーポンが挿入されたかを検査する（Ｓ２１１）。
【００６７】
クーポンが挿入されると、制御部１０は、クーポンスキャン部５０を駆動してクーポンをスキャンする（Ｓ２１３）。この際、クーポンスキャン部５０は、クーポンをスキャンして即席クーポン番号を含むスキャンイメージを分析して即席クーポン番号を制御部１０に出力する。
【００６８】
そうすると、制御部１０は、当選番号検出部１１及びクーポン番号検出部１２により即席クーポン番号から当選番号とクーポン番号を検出する（Ｓ２１５、Ｓ２１７）。しかしながら、即席クーポン番号は入力部４０及びディスプレイ部３０により即席クーポン番号が入力されても良い。
【００６９】
クーポン番号と当選番号が検出されると、制御部１０は、主体検出部１３によりクーポン番号から主体番号を検出する（Ｓ２１９）。上記主体番号は、上述したように、クーポン番号の一番目の番号であり得る。
【００７０】
主体番号が抽出されると、制御部１０は、優劣処理部１４により当選番号に基づいて主体番号と助演番号間の優劣判断を行って優劣情報を生成する（Ｓ２２１）。
【００７１】
制御部１０は、優劣判断が行われると、上記優劣判断によって主体番号が助演番号の一部に対して優勢であるか（「一部優勢」とする。）、全ての助演番号に対して優勢であるか（「全部優勢」とする。）を判断する（Ｓ２２３）。
【００７２】
一部優勢であると、制御部１０は、コンテンツ構成部１６により一部優勢に対する優劣情報によりコンテンツを構成する（Ｓ２２８）。
【００７３】
しかしながら、主体番号が助演番号に対して全部優勢であると、制御部１０は、全部一致判断部１５により主体番号が当選番号と数字及び桁まで一致するかを判断する（Ｓ２２５、Ｓ２２７）。
【００７４】
判断の結果、当選番号とクーポン番号の各桁に対して同一の番号を有せずに、当選番号とクーポン番号の各番号が同一の番号のみで構成される場合、制御部１０は、コンテンツ構成部１６により全部優勢によるコンテンツを構成する（Ｓ２２９）。
【００７５】
一方、クーポン番号と当選番号を構成する番号が同一であり、それぞれの番号の桁まで一致すると、制御部１０は、コンテンツ構成部により全部一致によるコンテンツを構成する（Ｓ２３０）。
【００７６】
そして、上記の構成されたコンテンツは、制御部１０によりディスプレイ部３０に表示される（Ｓ２３１）。
【００７７】
上記コンテンツのディスプレイの後、制御部１０は、当選順位に応じた景品提供部６０により上記の挿入されたクーポンに対する景品をクーポン利用者に提供する（Ｓ２３３）。上記当選順位は上記優劣情報によって決定される。例えば、一位は全部一致の場合が一位となり、全部優勢である場合が二位であり、それ以降は優勢回数により順位が定められる。
【符号の説明】
【００７８】
１０：制御部              
１１：当選番号検出部
１２：クーポン番号検出部  
１３：主体検出部  
１４：優劣処理部          
１５：全部一致判断部  
１６：コンテンツ構成部    
１７：当選番号ローディング部  
２０：コンテンツＤＢ      
３０：ディスプレイ部  
４０：入力部              
５０：クーポンスキャン部  
６０：景品提供部
【図３】
0006015991.tif 000002
【図１】
0006015991.tif 000003
【図２】
0006015991.tif 000004